(57)【要約】【課題】筐体の連結部側部分における応力集中による破損を抑制できる携帯電子機器を提供する。【解決手段】携帯電話機１の第２筐体５は、閉状態において第１筐体３に対向する方向において互いに対向するフロントケース２９及びリアケース３７を有する。フロントケース２９及びリアケース３７は、対向面内の複数位置に設けられた複数の孔部４１において互いに結合される。フロントケース２９は、樹脂により形成された樹脂部５５と、金属により形成され、樹脂部５５に少なくとも一部が埋設された板金部５７とを有する。板金部５７は、複数の孔部４１に囲まれた本体部５９と、本体部５９から、本体部５９よりも連結部７側に位置する孔部４１Ａ、４１Ｂよりも連結部７側まで延び、樹脂部５５に埋設された延設部６１とを有する。【選択図】図５
2008294650.tif 000002
【特許請求の範囲】
【請求項１】
第１筐体と、
第２筐体と、
前記第１筐体と前記第２筐体とを開閉可能に連結する連結部と、
を有し、
前記第２筐体は、閉状態において前記第１筐体に対向する方向において互いに対向する第１ケース部材及び第２ケース部材を有し、
前記第１ケース部材及び前記第２ケース部材は、対向面内の複数位置に設けられた複数の結合部位において互いに結合され、
前記第１ケース部材は、
第１の材料により形成された第１構成部と、
前記第１の材料よりも弾性係数が高い第２の材料により形成され、前記第１構成部に少なくとも一部が埋設された第２構成部と、
を有し、
前記第２構成部は、
前記第２ケース部材に対向し、前記複数の結合部位に囲まれた本体部と、
前記本体部から、前記本体部よりも前記連結部側に位置する結合部位よりも前記連結部側まで延び、前記第１構成部に埋設された延設部と、
を有する
携帯電子機器。
【請求項２】
前記延設部は、前記本体部から、前記本体部よりも前記連結部側に位置する結合部位よりも前記連結部側まで延び、前記第１ケース部材及び第２ケース部材の対向方向に広がる板状の補強部を有する
請求項１に記載の携帯電子機器。
【請求項３】
前記本体部は、電子部品が収納される収納凹部が形成されるように、前記第２ケース部材に対向する基部と、前記基部の前記連結部側へ延びる縁部において前記基部に対して立設された壁部と、を有し、
前記補強部は、前記壁部と一平面を構成するように前記壁部に連続して形成されている
請求項２に記載の携帯電子機器。
【請求項４】
前記本体部よりも前記連結部側に位置する結合部位は、前記本体部から前記連結部への方向に直交する方向において、前記第１ケース部材の外周寄りに配置され、
前記補強部は、前記本体部から前記連結部への方向に直交する方向において、前記本体部よりも前記連結部側に位置する結合部位に対して、前記第１ケース部材の前記外周側に配置されている
請求項３に記載の携帯電子機器。
【請求項５】
前記第１材料は樹脂であり、
前記第２材料は金属である
請求項１〜４のいずれか１項に記載の携帯電子機器。
【請求項６】
前記第１構成部には、前記延設部を露出させる開口部が形成されている
請求項５に記載の携帯電子機器。
【請求項７】
前記第２筐体内に設けられた回路基板と、
前記延設部の前記開口部から露出した部分に当接して前記延設部と前記回路基板のグランドラインとを接続する導通部材と、
を有する請求項６に記載の携帯電子機器。
【請求項８】
前記連結部は、前記第１筐体及び前記第２筐体に挿通されるヒンジ部品を有し、
前記ヒンジ部品は、前記延設部の連結部側の先端よりも前記本体部側まで延びている
請求項１〜７のいずれか１項に記載の携帯電子機器。
【発明の詳細な説明】
【技術分野】
【０００１】
本発明は、携帯電話機、デジタルカメラ、ＰＤＡ、ノートパソコン、ゲーム機等の携帯電子機器に関する。
【背景技術】
【０００２】
開閉可能に連結された２つの筐体を有する携帯端末装置などの携帯電子機器が知られている（例えば特許文献１）。各筐体は、２つのケース部材が電子部品を挟んでネジにより結合されることにより構成されている。ネジは、筐体の４隅付近等の適宜な位置に複数設けられている。特許文献１では、筐体強度を向上させるために、表示モジュールの背面側に板金部材を配置している。また、薄型化と強度確保とを両立させるために、いわゆるインサート成形により筐体を構成した携帯電話機が知られている。この携帯電話機の筐体は、樹脂部材に板金部材が埋設されて構成されている。なお、いずれも板金部材は、２つのケース部材を結合する複数のネジに囲まれる領域に配置されている。
【特許文献１】特開２００５−１９２０１２号公報
【発明の開示】
【発明が解決しようとする課題】
【０００３】
開閉可能に連結された筐体の連結部側には荷重が加わりやすい。例えば、開状態の携帯電話機をユーザが耳にあてがっているような場合には、筐体を開状態から更に開方向へ開かせる荷重が加わる。一方、筐体がインサート成形により形成されている場合には、インサート部材の端部において応力集中が生じる。また、筐体は、小型化を図りつつ電子部品を配置する空間を確保するために、ネジに囲まれる領域には筐体補強のためのリブ等があまり設けられず、ネジに囲まれる領域の曲げ剛性は低い。従って、連結部側のネジとインサート部材との間において、筐体が破損するおそれがあった。
【０００４】
本発明の目的は、筐体の連結部側部分における応力集中による破損を抑制できる携帯電子機器を提供することにある。
【課題を解決するための手段】
【０００５】
本発明の携帯電子機器は、第１筐体と、第２筐体と、前記第１筐体と前記第２筐体とを開閉可能に連結する連結部と、を有し、前記第２筐体は、閉状態において前記第１筐体に対向する方向において互いに対向する第１ケース部材及び第２ケース部材を有し、前記第１ケース部材及び前記第２ケース部材は、対向面内の複数位置に設けられた複数の結合部位において互いに結合され、前記第１ケース部材は、第１の材料により形成された第１構成部と、前記第１の材料よりも弾性係数が高い第２の材料により形成され、前記第１構成部に少なくとも一部が埋設された第２構成部と、を有し、前記第２構成部は、前記第２ケース部材に対向し、前記複数の結合部位に囲まれた本体部と、前記本体部から、前記本体部よりも前記連結部側に位置する結合部位よりも前記連結部側まで延び、前記第１構成部に埋設された延設部と、を有する。
【０００６】
好適には、前記延設部は、前記本体部から、前記本体部よりも前記連結部側に位置する結合部位よりも前記連結部側まで延び、前記第１ケース部材及び第２ケース部材の対向方向に広がる板状の補強部を有する。
【０００７】
好適には、前記本体部は、電子部品が収納される収納凹部が形成されるように、前記第２ケース部材に対向する基部と、前記基部の前記連結部側へ延びる縁部において前記基部に対して立設された壁部と、を有し、前記補強部は、前記壁部と一平面を構成するように前記壁部に連続して形成されている。
【０００８】
好適には、前記本体部よりも前記連結部側に位置する結合部位は、前記本体部から前記連結部への方向に直交する方向において、前記第１ケース部材の外周寄りに配置され、前記補強部は、前記本体部から前記連結部への方向に直交する方向において、前記本体部よりも前記連結部側に位置する結合部位に対して、前記第１ケース部材の前記外周側に配置されている。
【０００９】
好適には、前記第１材料は樹脂であり、前記第２材料は金属である。
【００１０】
好適には、前記第１構成部には、前記延設部を露出させる開口部が形成されている。
【００１１】
好適には、前記第２筐体内に設けられた回路基板と、前記延設部の前記開口部から露出した部分に当接して前記延設部と前記回路基板のグランドラインとを接続する導通部材と、を有する。
【００１２】
好適には、前記連結部は、前記第１筐体及び前記第２筐体に挿通されるヒンジ部品を有し、前記ヒンジ部品は、前記延設部の連結部側の先端よりも前記本体部側まで延びている。
【発明の効果】
【００１３】
本発明によれば、筐体の連結部側部分における応力集中による破損を抑制できる。
【発明を実施するための最良の形態】
【００１４】
図１は、本発明の実施形態に係る携帯電子機器としての携帯電話機１の外観を示す図であり、図１（ａ）は正面図、図１（ｂ）は背面図、図１（ｃ）は側面図である。
【００１５】
携帯電話機１は、いわゆる折り畳み式の携帯電話機として構成されており、開閉可能に連結された第１筐体３及び第２筐体５を備えている。なお、図１は、開状態を示している。また、第１筐体３及び第２筐体５は、連結部７により連結されている。第１筐体３及び第２筐体５は、回転軸ＲＡ（図１（ａ））回りに回転可能である。
【００１６】
第１筐体３及び第２筐体５は、携帯電話機１全体の筐体を構成している。第１筐体３及び第２筐体５は、例えば、概ね同様の形状に形成されており、閉状態では互いに重ねあわされて互いの輪郭が略一致する。第１筐体３及び第２筐体５は、例えば、薄型直方体状に形成されている。
【００１７】
以下では、開状態における第１筐体３及び第２筐体５の配列方向（図１の紙面上下方向）を長さ方向、当該長さ方向に直交する方向を幅方向ということがある。
【００１８】
第１筐体３には、例えば、通話用のマイクロフォン９５（図８参照）の収音孔９（図１（ａ））、着信音等を出力する報知用のスピーカ９９（図８参照）の放音孔１１（図１（ｂ））、ユーザの操作を受け付ける操作部１３（図１（ａ））、撮像を行う撮像部１５（図１（ｂ））が設けられている。
【００１９】
第２筐体５には、例えば、通話用のスピーカ３３（図２参照）の放音孔１７（図１（ａ））、図形や文字等を含む画像を表示するメイン表示部１９（図１（ａ））及びサブ表示部２１（図１（ｂ））が設けられている。メイン表示部１９は、第２筐体５のうち、閉状態において第１筐体３に対向する対向面部５ａにおいて画像を表示する。サブ表示部２１は、第２筐体５のうち、対向面部５ａの背面側の背面部５ｂにおいて画像を表示する。
【００２０】
連結部７は、例えば、第１筐体３の第１端部３ｄと、第２筐体５の第２端部５ｄとを含んで構成されている。具体的には、連結部７は、第２筐体５の第２端部５ｄに形成された連結凹部５ｅ（図１（ａ））に、第１筐体３の第１端部３ｄに形成された連結突部３ｅ（図１（ａ））が挿入されて構成されている。
【００２１】
図２は、第２筐体５の分解斜視図である。なお、図２の紙面上方側は、図１（ｂ）の紙面手前側である。
【００２２】
第２筐体５においては、対向面部５ａ側（図２の紙面下方側）から順に、パネル２５、メイン表示装置２７、フロントケース２９、サブ表示装置３１及び通話用のスピーカ３３、回路基板３５、並びに、リアケース３７が積層されている。なお、一部の部品は並列に配置されている。
【００２３】
第２筐体５は、フロントケース２９及びリアケース３７により構成されている。なお、パネル２５も第２筐体５の一部と捉えられてもよい。フロントケース２９（及びパネル２５）は、第２筐体５の対向面部５ａ、及び、外周面部５ｃ（図１（ｃ））のうち対向面部５ａ側の部分を構成している。リアケース３７は、第２筐体５の背面部５ｂ、及び、外周面部５ｃのうち背面部５ｂ側を構成している。リアケース３７は例えば樹脂により構成されている。
【００２４】
フロントケース２９とリアケース３７とは、閉状態において第２筐体５が第１筐体３に対して対向する方向（図２の上下方向）において対向している。フロントケース２９及びリアケース３７は、例えば、複数のネジ３９（一つのみ図示する）により互いに結合されている。具体的には、以下のとおりである。
【００２５】
フロントケース２９には、複数の孔部４１Ａ〜４１Ｄ（以下、Ａ〜Ｄを省略することがある。）が形成されている。複数の孔部４１は、フロントケース２９及びリアケース３７の対向面内の複数位置に形成されている。例えば、複数の孔部４１Ａ〜４１Ｄは、対向方向に見て（図２の紙面上方側から下方側へ見て）概ね矩形のフロントケース２９の四隅に形成されている。
【００２６】
一方、リアケース３７の内側面には、複数の孔部４１に対応する位置に、フロントケース２９側へ突出するネジボス４３Ａ〜４３Ｄ（以下、Ａ〜Ｄを省略することがある。）が形成されている。そして、対向面部５ａ側（図２の紙面下方側）から孔部４１に挿通されたネジ３９が、ネジボス４３に螺合されることにより、フロントケース２９とリアケース３７とは互いに固定される。
【００２７】
なお、フロントケース２９とリアケース３７とは、例えば、リアケース３７のうち外周面部５ｃを構成する部分が、フロントケース２９のうち外周面部５ｃを構成する部分の頂部に嵌合することによっても互いに結合されている。
【００２８】
フロントケース２９とリアケース３７との間に配置される、スピーカ３３や回路基板３５等の電子部品は、フロントケース２９とリアケース３７とが互いに結合されることにより、直接的に又は間接的にフロントケース２９とリアケース３７とに挟持され、第２筐体５内に保持される。
【００２９】
パネル２５は、例えば、透光性を有する樹脂により形成された板状部材である。パネル２５は、メイン表示装置２７の表示面を覆う広さを有している。パネル２５は、例えば、両面テープや接着剤等の適宜な固定部材によりフロントケース２９の対向面部５ａ側の面に固定されている。
【００３０】
メイン表示装置２７は、メイン表示部１９を構成している。メイン表示装置２７は、例えば、液晶ディスプレイや有機ＥＬディスプレイにより構成されている。メイン表示装置２７は、例えば、対向面部５ａの半分以上の面積を有するなど、比較的広い面積を有している。ただし、メイン表示装置２７の面積は、複数の孔部４１により囲まれる面積よりも小さい。メイン表示装置２７は、フロントケース２９の対向面部５ａ側（図２の紙面下方側）に形成された収納凹部２９ａに嵌合される。
【００３１】
サブ表示装置３１は、サブ表示部２１を構成している。サブ表示装置３１は、例えば、液晶ディスプレイや有機ＥＬディスプレイにより構成されている。サブ表示装置３１は、例えば、弾性部材により形成された枠状のホルダ４５により保持され、ホルダ４５を介してフロントケース２９の内側面に載置される。サブ表示装置３１は、例えば、ホルダ４５がフロントケース２９に係止されることにより、また、両面テープ４７によりフロントケース２９の内側面に固定されることにより、第２筐体５内に保持されている。
【００３２】
通話用のスピーカ３３は、放音面３３ａをフロントケース２９の内側面に（図２の紙面下方側に）向けて、端子部３３ｂをリアケース３７側に向けて、フロントケース２９の内側面に形成されたスピーカ用凹部２９ｂに嵌合される。
【００３３】
回路基板３５は、例えば、硬質の樹脂をベースとしたプリント配線基板により構成されている。回路基板３５は、例えば、複数の孔部４１に亘る広さを有するなど、比較的広く形成されている。回路基板３５には、サブ表示装置３１及びホルダ４５が嵌合する開口部３５ｈが形成されている。
【００３４】
回路基板３５には種々の電子部品が配置されており、電子回路が構成されている。例えば、メイン表示装置２７やサブ表示装置３１の動作を制御する制御回路が構成されている。回路基板３５の実装面には、回路基板３５（電子回路）のグランドラインを構成するグランドパターン層３５ｃ（一部のみ示す。）が所定のパターンで配置されている。回路基板３５のスピーカ３３側の端部には、スピーカ３３の端子部３３ｂと接続される端子４９が設けられている。
【００３５】
第２筐体５の連結凹部５ｅ（図１（ａ））の回転軸ＲＡ（図１（ａ））方向の両側には、連結部７を構成する第１ヒンジ部品５１及び第２ヒンジ部品５３が設けられている。第１ヒンジ部品５１及び第２ヒンジ部品５３は、第１筐体３及び第２筐体５に挿通され、第１筐体３及び第２筐体５を回転軸ＲＡ回りに軸支する部品である。
【００３６】
第１ヒンジ部品５１は、第１筐体３に固定される第１部材５１ａと、第２筐体５に固定される第２部材５１ｂとを有している。第１部材５１ａと第２部材５１ｂとは、回転軸ＲＡ回りに相対回転可能である。特に図示しないが、第１ヒンジ部品５１の内部には、携帯電話機１を開閉したときにクリック感を生じるクリック機構が設けられている。
【００３７】
第２ヒンジ部品５３は、第１筐体３内に配置される第３部材５３ａと、第２筐体５内に配置される第４部材５３ｂとを有している。第３部材５３ａは、例えば、潤滑性を有する樹脂により形成されている。第３部材５３ａは、円筒状に形成されており、連結突部３ｅの、回転軸ＲＡに直交する面に形成された不図示の孔部に嵌合し、当該孔部を形成する縁部に対して摺動可能である。
【００３８】
第４部材５３ｂは、例えば、金属により形成され、第２筐体５に対して固定される。第４部材５３ｂの第２筐体５への固定方法は、例えば、以下のとおりである。第４部材５３ｂは、回転軸ＲＡから孔部４１Ａの配置位置まで延びており、第４部材５３ｂには、孔部４１Ａと重なる位置に、孔部５３ｃが形成されている。そして、孔部４１Ａに挿通されたネジ３９は、孔部５３ｃにも挿通され、ネジボス４３Ａに螺合される。これにより、第４部材５３ｂは、第２筐体５に固定される。
【００３９】
なお、第２ヒンジ部品５３は、回路基板３５と、第１筐体３内の不図示の回路基板とを接続する不図示の信号線の位置決めにも利用される。例えば、第４部材５３ｂは、リアケース３７側を凹とする凹状に形成されている。不図示の信号線は、第４部材５３ｂの凹部により位置決めされるともに、第３部材５３ａの内部に挿通されて位置決めされる。
【００４０】
図３は、フロントケース２９を筐体内部側から見た平面図である。
【００４１】
フロントケース２９は、樹脂により形成された樹脂部５５と、金属により形成された板金部５７とを有している。板金部５７は、点線Ｌにより示すように、外周部が樹脂部５５に埋設されている。
【００４２】
図４は、板金部５７の斜視図である。
【００４３】
板金部５７は、複数の孔部４１に囲まれる本体部５９（図３も参照）と、本体部５９から連結部７側（図４の紙面上方側）へ延びる延設部６１とを有している。
【００４４】
本体部５９は、リアケース３７に対向する基部６３と、基部６３の縁部において基部６３に対して立設された壁部６５と、壁部６５の頂部から板金部５７の外周側に突出する鍔部６７とを有している。なお、基部６３及び壁部６５は、メイン表示装置２７が収納される収納凹部２９ａを構成している。
【００４５】
基部６３は、例えば、メイン表示装置２７と同等の大きさ及び形状を有する平板状に形成されている。基部６３は、例えば矩形である。基部６３は、軽量化のために複数の開口部６３ｈが形成されて肉抜きされている。また、基部６３は、電子部品の配置領域を確保するために、切り欠き部及び／又は孔部が形成されている。基部６３には、ホルダ４５を位置決めするために突部６３ｂが形成されている。
【００４６】
壁部６５は、基部６３から対向面部５ａ側（図４の紙面下方側）へ突出している。壁部６５は、例えば、基部６３に対して直交している。ただし、壁部６５は、基部６３に直交する方向に対して傾斜していてもよい。壁部６５は、基部６３の、概ね全周を囲んでいる。すなわち、壁部６５は、回転軸ＲＡ（図１（ａ））に直交する方向に延びる第１壁部６６Ａ及び第２壁部６６Ｂと、回転軸ＲＡに平行な方向に延びる第３壁部６６Ｃ及び第４壁部６６Ｄとを有している。
【００４７】
鍔部６７は、例えば、基部６３に対して平行である。ただし、鍔部６７は、基部６３に対して傾斜していてもよい。鍔部６７は、第１壁部６６Ａ、第２壁部６６Ｂ、第４壁部６６Ｄそれぞれから、板金部５７の外周側へ突出する、第１鍔部６８Ａ、第２鍔部６８Ｂ、第４鍔部６８Ｄを有している。鍔部６７の縁部には、板金部５７の樹脂部５５からの抜けを防止等の目的で、凹凸が形成されている。例えば、第４鍔部６８Ｄには、第４壁部６６Ｄに達する切り欠き部６８ａが２つ形成されている。
【００４８】
延設部６１は、回転軸ＲＡ方向の両側に位置する第１側方部６９Ａ及び第２側方部６９Ｂ（以下、単に「側方部６９」といい、これらを区別しないことがある。）と、中央部７１とを有している。
【００４９】
第１側方部６９Ａは、第１壁部６６Ａ及び第１鍔部６８Ａが連結部７側（図４の紙面上方側）へ延長されるように形成されている。同様に、第２側方部６９Ｂは、第２壁部６６Ｂ及び第２鍔部６８Ｂが連結部７側（図４の紙面上方側）へ延長されるように形成されている。具体的には以下のとおりである。
【００５０】
側方部６９は、本体部５９側から連結部７側へ延びるとともにフロントケース２９及びリアケース３７の対向方向に広がる板状に形成された壁部連続部６９ａを有している。壁部連続部６９ａは、より具体的には、例えば、回転軸ＲＡ及び基部６３に直交する板状に形成されている。なお、壁部連続部６９ａは、回転軸ＲＡ及び基部６３に対して傾斜していてもよい。第１側方部６９Ａの壁部連続部６９ａは、第１壁部６６Ａに連続しており、第１側方部６９Ａの壁部連続部６９ａ及び第１壁部６６Ａは、一平面を構成している。同様に、第２側方部６９Ｂの壁部連続部６９ａは、第２壁部６６Ｂに連続しており、第２側方部６９Ｂの壁部連続部６９ａ及び第２壁部６６Ｂは、一平面を構成している。
【００５１】
また、側方部６９は、本体部５９側から連結部７側へ延びるとともに回転軸ＲＡ方向に広がる板状に形成された鍔部連続部６９ｂを有している。鍔部連続部６９ｂは、より具体的には、例えば、基部６３（回転軸ＲＡ）に平行な板状に形成されている。なお、鍔部連続部６９ｂは、基部６３に対して傾斜していてもよい。第１側方部６９Ａの鍔部連続部６９ｂは、第１鍔部６８Ａに連続しており、第１側方部６９Ａの鍔部連続部６９ｂ及び第１鍔部６８Ａは、一平面を構成している。同様に、第２側方部６９Ｂの鍔部連続部６９ｂは、第２鍔部６８Ｂに連続しており、第２側方部６９Ｂの鍔部連続部６９ｂ及び第２鍔部６８Ｂは、一平面を構成している。
【００５２】
中央部７１は、第３壁部６６Ｃの頂部から連結部７側（図４の紙面上方側）へ突出している。中央部７１は、例えば、基部６３に対して平行である。ただし、中央部７１は、基部６３に対して傾斜していてもよい。中央部７１の縁部には、板金部５７の樹脂部５５からの抜けを防止等の目的で、凹凸が形成されている。
【００５３】
図３に示すように、板金部５７は、本体部５９の鍔部６７、及び、延設部６１が樹脂部５５に埋設されている。すなわち、本体部５９の鍔部６７、及び、延設部６１は、対向面部５ａ側（図３の紙面奥手側）の面及び背面部５ｂ側（図３の紙面手前側）の面の双方が樹脂部５５により被覆されている。本体部５９の基部６３及び壁部６５（図３では不図示）は、樹脂部５５に埋設されていない。具体的には、基部６３は、対向面部５ａ側の面及び背面部５ｂ側の面の双方が樹脂部５５により被覆されておらず、樹脂部５５から露出している。壁部６５は、外周側（鍔部６７や延設部６１側）の面は樹脂部５５により被覆されているが、内周側（基部６３側）の面は樹脂部５５により被覆されておらず、樹脂部５５から露出している（図７参照）。なお、メイン表示装置２７を収納する収納凹部２９ａは、板金部５７の本体部５９の基部６３及び壁部６５により構成されている。
【００５４】
板金部５７の本体部５９の幅方向（図３の紙面左右方向）の長さは、樹脂部５５の幅方向の長さと概ね同等である。板金部５７の本体部５９の長さ方向（図３の紙面上下方向）の長さは、樹脂部５５の長さ方向の長さよりも小さい。板金部５７の長さ方向の長さは、例えば、樹脂部５５の長さの半分以上である。
【００５５】
板金部５７の本体部５９は、複数の孔部４１に囲まれている。具体的には、長さ方向において、孔部４１Ａ及び４１Ｂと、孔部４１Ｃ及び４１Ｄとに挟まれている。孔部４１Ａ、４１Ｂは、本体部５９よりも連結部７側（図３の紙面上方側）に位置している。樹脂部５５の、孔部４１Ａ、４１Ｂよりも連結部７側の部分には、筐体強度を向上させる等の目的の目的で、複数のリブ５５ｂが形成されている（図２も参照）。複数のリブ５５ｂには、例えば、長さ方向に延びるリブが含まれており、長さ方向における曲げ剛性が大きくなっている。また、複数のリブ５５ｂには、例えば、幅方向に延びるリブが含まれており、幅方向における曲げ剛性が大きくなっている。
【００５６】
図５は、図３の領域Ｖの拡大図である。
【００５７】
延設部６１は、本体部５９よりも連結部７側に位置する孔部４１Ａ、４１Ｂよりも連結部７側まで延びている。具体的には、延設部６１の連結部７側の縁部６１ｆは、孔部４１Ａ、４１Ｂの中心ＣＰよりも、長さ方向（図５の紙面上下方向）において、連結部７側に位置している。また、別の観点では、縁部６１ｆは、孔部４１Ａ、４１Ｂの中心ＣＰを結んだ基準線ＳＬよりも、連結部７側に位置している。なお、本実施形態において、基準線ＳＬは、長さ方向に直交している。
【００５８】
延設部６１は、側方部６９及び中央部７１の双方が、孔部４１Ａ、４１Ｂよりも連結部７側まで延びている。なお、側方部６９及び中央部７１の一方のみが孔部４１Ａ、４１Ｂよりも連結部７側まで延びていてもよい。
【００５９】
孔部４１Ａ、４１Ｂは、本体部５９から連結部７への方向（図５の紙面上下方向、長さ方向）に直交する方向（図５の紙面左右方向、幅方向）において、フロントケース２９の外周（外周面部５ｃ）寄り配置されている。すなわち、孔部４１Ａ、４１Ｂの位置は、幅方向において、フロントケース２９の中央よりも外周面部５ｃに近い。
【００６０】
第１側方部６９Ａ及び第２側方部６９Ｂは、幅方向において、孔部４１Ａ、４１Ｂに対して、フロントケース２９の外周側に配置されている。すなわち、第１側方部６９Ａ及び第２側方部６９Ｂは、孔部４１Ａ、４１Ｂよりも外周面部５ｃに近い。別の観点では、第１側方部６９Ａ及び第２側方部６９Ｂは、幅方向の異なる位置に配置された２つの孔部４１Ａ、４１Ｂの外側に配置されている。
【００６１】
中央部７１のうち、孔部４１Ａ、４１Ｂよりも連結部７側に位置する部分は、幅方向において、孔部４１Ａ、４１Ｂに対して、フロントケース２９の中央側に配置されている。別の観点では、中央部７１のうち、孔部４１Ａ、４１Ｂよりも連結部７側に位置する部分は、幅方向の異なる位置に配置された２つの孔部４１Ａ、４１Ｂの間に配置されている。
【００６２】
なお、フロントケース２９のうち、孔部４１Ａ、４１Ｂを構成する部分は、樹脂部５５により形成されている。ただし、孔部４１Ａ、４１Ｂは、樹脂部５５及び板金部５７により構成されてもよいし、板金部５７のみにより構成されてもよい。
【００６３】
樹脂部５５には、延設部６１の一部（露出部６１ａ）を露出させる開口部５５ｈが形成されている。具体的には、開口部５５ｈは、樹脂部５５のうち、中央部７１を被覆している部分に形成され、中央部７１により露出部６１ａが構成されている。露出部６１ａは、例えば、中央部７１の、孔部４１Ａ、４１Ｂよりも連結部７側に位置する縁部を含んで構成されている。露出部６１ａの形状及び大きさは適宜に設定されてよい。
【００６４】
図２を参照して説明したように、第２ヒンジ部品５３（図５では不図示）は、孔部４１Ａの配置位置まで延びている。具体的には、第２ヒンジ部品５３の第４部材５３ｂの、本体部５９側（図５の紙面下方側）の縁部は、孔部４１Ａよりも本体部５９側に位置している。従って、第２ヒンジ部品５３の第４部材５３ｂは、板金部５７の延設部６１の先端側よりも本体部５９側に延びている。すなわち、第４部材５３ｂと延設部６１とは、長手方向（図５の紙面上下方向）の位置が互いに重複している。
【００６５】
図６は、図５のＶＩ−ＶＩ線矢視方向の断面図である。
【００６６】
樹脂部５５は、第２側方部６９Ｂを被覆する、中央部７１を被覆する部分に比較して肉厚な、肉厚部５５ａを有している。具体的には、肉厚部５５ａは、背面部５ｂ側（図６の紙面上方側、壁部連続部６９ａの鍔部連続部６９ｂや鍔部６７に対する突出方向側）に突出するように肉厚に形成されている。樹脂部５５は、肉厚部５５ａにより、壁部連続部６９ａの背面部５ｂ側を被覆するのに十分な厚さを確保している。図２に示すように、肉厚部５５ａは、第２側方部６９Ｂに沿って延びている。すなわち、板金部５７の本体部５９側から連結部７側へ（図２の紙面左下側から右上側へ）延びている。樹脂部５５の孔部４１Ｂの縁部を形成する部分は、若干肉厚に形成されているが、肉厚部５５ａよりも肉薄に形成されている。
【００６７】
同様に、樹脂部５５は、孔部４１Ａ側にも、第１側方部６９Ａを被覆する肉厚部５５ａを有している。第１側方部６９Ａを被覆する肉厚部５５ａは、第２ヒンジ部品５３を位置決めする位置決め部として機能する。例えば、樹脂部５５のうち、第１側方部６９Ａを被覆する肉厚部５５ａ、肉厚部５５ａに対して幅方向（図２の紙面左上から右下への方向）において対向するリブ５５ｃ、第３壁部６６Ｃ（図２では不図示。図４参照）の連結部７側を被覆する部分により、第２ヒンジ部品５３の第４部材５３ｂが嵌合可能な矩形状の凹部が形成されており、第１側方部６９Ａを被覆する肉厚部５５ａは、第４部材５３ｂの外周側に当接して、第４部材５３ｂの位置決めを行う。
【００６８】
図２に示すように、樹脂部５５に開口部５５ｈが形成されることにより、板金部５７の延設部６１に設けられた露出部６１ａは、リアケース３７側に露出している。換言すれば、筐体内部側に露出している。ただし、図６に示すように、露出部６１ａは、リアケース３７とは反対側（図６の紙面下方側）は、樹脂部５５に被覆されている。
【００６９】
図７は、図１（ａ）のＶＩＩ−ＶＩＩ線矢視方向における、第２筐体５の断面図である。なお、図７の紙面下方側が対向面部５ａ側である。
【００７０】
上述のように、第２筐体５においては、対向面部５ａ側から、パネル２５、メイン表示装置２７、フロントケース２９、サブ表示装置３１及び回路基板３５、並びに、リアケース３７が積層されている。また、メイン表示装置２７は、板金部５７により構成された収納凹部２９ａに収納されている。サブ表示装置３１は、ホルダ４５を介して板金部５７の本体部５９の基部６３に積層されている。樹脂部５５の、板金部５７の本体部５９の壁部６５の外周を被覆する部分は、基部６３よりも若干リアケース３７側に突出しており、回路基板３５は、樹脂部５５に支持されている。なお、回路基板３５と基部６３との間には、スペーサが設けられてもよい。
【００７１】
板金部５７は、回路基板３５のグランドラインに電気的に接続されている。具体的には、以下のとおりである。回路基板３５は、板金部５７の露出部６１ａと対向している。回路基板３５と露出部６１ａとの間には、導通部材７３が配置されている。導通部材７３は、露出部６１ａに当接するとともに、回路基板３５の露出部６１ａに対向する実装面に設けられたグランドパターン層３５ｃ（図２）に当接している。導通部材７３は、例えば、回路基板３５に設けられたバネ端子により構成され、第２筐体５が組み立てられたときに、露出部６１ａに当接する。
【００７２】
上記のようなフロントケース２９は、板金部５７がいわゆるインサート成形により一体的に形成される。具体的には、まず、板金部５７が形成される。板金部５７は、例えば、一枚の板金に対して、打ち抜き加工、曲げ加工、絞り加工等のプレス加工を行うことにより形成される。次に、板金部５７は、射出成形機の一対の金型のキャビティ内に配置されるとともに、一対の金型に挟持される。例えば、板金部５７の本体部５９のうち基部６３が、フロントケース２９とリアケース３７の対向方向を挟持方向として一対の金型に挟持される。そして、樹脂部５５となるべき溶融した樹脂がキャビティ内に射出、充填されることにより、フロントケース２９は形成される。板金部５７のうち、一対の金型に挟持された部分は、樹脂部５５から、対向面部５ａ側及び背面部５ｂ側の双方において露出した部分となる。露出部６１ａは、一対の金型のうち、一方の金型のみが板金部５７に当接することにより形成される。
【００７３】
図８は、携帯電話機１の信号処理系の構成を示すブロック図である。
【００７４】
携帯電話機１は、ＣＰＵ８５、メモリ８６、通信処理部８７、音響処理部９１及び画像処理部９３を備えている。これら各部は例えば第１筐体３内の不図示の回路基板や第２筐体５内の回路基板３５等に設けられたＩＣにより構成されている。
【００７５】
ＣＰＵ８５及びメモリ８６は、操作部１３等の各種手段からの信号に基づいて所定の演算を行い、画像処理部９３等の各種手段の制御を実行する制御部として機能する。
【００７６】
通信処理部８７は、高周波回路を含んで構成されている。通信処理部８７は、電波を利用した遠距離無線通信を行うために、ＣＰＵ８５で処理された音響データ、画像データ等の各種データを変調して、アンテナ８９を介して送信する。また、通信処理部８７は、アンテナ８９を介して受信した信号を復調してＣＰＵ８５に出力する。
【００７７】
音響処理部９１は、ＣＰＵ８５からの音響データを電気信号に変換して通話用のスピーカ３３、着信等を報知するためのスピーカ９９に出力する。スピーカ３３及びスピーカ９９は、音響処理部９１からの電気信号を音響に変換して出力する。一方、マイクロフォン９５は、入力された音響を電気信号に変換して音響処理部９１に出力する。音響処理部９１は、マイクロフォン９５からの電気信号を音響データに変換してＣＰＵ８５に出力する。
【００７８】
画像処理部９３は、ＣＰＵ８５からの画像データを画像信号に変換してメイン表示部１９及びサブ表示部２１へ出力する。また、撮像部１５から出力される撮像信号（画像データ）を所定のフォーマットの画像データに変換してＣＰＵ８５へ出力する。
【００７９】
以上の実施形態によれば、板金部５７は、本体部５９から、本体部５９よりも連結部７側に位置する孔部４１Ａ、４１Ｂ（結合部位）よりも連結部７側まで延び、樹脂部５５に埋設された延設部６１を有することから、フロントケース２９のうち、板金部５７の本体部５９による応力集中が生じるとともに樹脂部５５のリブ等による補強があまりなされなかった、連結部７側の孔部４１Ａ、４１Ｂと本体部５９との間の部分の強度が延設部６１により補強され、板金部５７の本体部５９と孔部４１Ａ、４１Ｂ（結合部位）との間での応力集中による破損が抑制される。しかも、板金部５７の一部を延設するだけでよいので部品点数の増加もない。
【００８０】
延設部６１は、本体部５９から、本体部５９よりも連結部７側に位置する孔部４１Ａ、４１Ｂよりも連結部７側まで延び、フロントケース２９及びリアケース３７の対向方向に広がる壁部連続部６９ａを有することから、携帯電話機１の開方向への曲げに対する延設部６１の断面二次モーメントを、延設部６１の断面積に対して相対的に大きくし、小型化を図りつつ剛性を高くすることができる。しかも、壁部連続部６９ａは、折り曲げ加工等により簡単に形成できる。
【００８１】
本体部５９は、メイン表示装置２７が収納される収納凹部２９ａが形成されるように、リアケース３７に対向する基部６３と、基部６３の連結部７側へ延びる縁部において基部に対して立設された第１壁部６６Ａ、第２壁部６６Ｂと、を有し、壁部連続部６９ａは、第１壁部６６Ａ、第２壁部６６Ｂと一平面を構成するように第１壁部６６Ａ、第２壁部６６Ｂに連続して形成されていることから、本体部５９と延設部６１との間の曲げ剛性を強くすることができる。
【００８２】
図９は、上記の効果を説明する図である。図９（ａ）の斜視図では、本体部５９から連結部７側（図９（ａ）の紙面左下側）に延びる延設部の側方部１６９は、第１壁部６６Ａから離間した位置に設けられている。そして、側方部１６９の壁部１６９ａは、本体部５９の第１壁部６６Ａに連続していない。
【００８３】
この場合、図９（ａ）のＩＸｂ−ＩＸｂ線矢視方向の断面図である図９（ｂ）に示すように、矢印ｙ１のような曲げモーメントが加えられると、側方部１６９と本体部５９との境界部分の断面二次モーメントは小さいことから、図９（ｃ）に示すように、側方部１６９と本体部５９との境界部分において曲げ変形が生じてしまう。
【００８４】
しかし、本実施形態のように、第１側方部６９Ａの壁部連続部６９ａと本体部５９の第１壁部６６Ａとが連続している場合には、図９（ｄ）に示すように、第１側方部６９Ａと本体部５９との境界部分においても、断面二次モーメントが高く、曲げ変形が抑制される。なお、図９（ａ）に示した態様も、本発明の一実施態様である。
【００８５】
本体部５９よりも連結部７側に位置する孔部４１Ａ、４１Ｂは、本体部５９から連結部７への方向に直交する方向（幅方向）において、フロントケース２９の外周寄りに配置され、壁部連続部６９ａは、幅方向において、孔部４１Ａ、４１Ｂに対して、フロントケース２９の外周側に配置されていることから、本体部５９の第１壁部６６Ａ及び第２壁部６６Ｂ等により構成される収納凹部２９ａを大きくしつつ、第１壁部６６Ａ及び第２壁部６６Ｂと壁部連続部６９ａとを連続させることができる。
【００８６】
樹脂部５５には、延設部６１を露出させる開口部５５ｈが形成されていることから、本体部５９を金型により挟持するのみの場合に比較して、効果的に板金部５７の平坦度を確保することができる。例えば、インサート成形では、樹脂をキャビティに注入したときに、板金部５７に負荷が加わり、そりが発生するおそれがある。特に、板金部５７にそりが発生した場合には、外周側ほど変位が大きくなる。しかし、従来、外周側部分（鍔部６７）は埋設されるべき部分であるとともに、収納凹部２９ａ等を大きくするために面積が小さいことから、金型により変位が規制されることはなかった。本実施形態では、延設部６１のうち露出部６１ａとなるべき部分を金型により押えることにより、板金部５７のそりの発生が効果的に抑制される。
【００８７】
携帯電話機１は、延設部６１のうち、上述の開口部５５ｈから露出した露出部６１ａに当接して延設部６１と回路基板３５のグランドラインとを接続する導通部材７３を有することから、露出部６１ａは、そりの発生の抑制に役立つだけでなく、グランドラインの接続にも利用されることになる。
【００８８】
第２ヒンジ部品５３は、延設部６１の連結部７側の先端よりも本体部５９側まで延びていることから、第２筐体５は、本体部５９から連結部７までの間が、延設部６１及び第２ヒンジ部品５３の少なくとも一方に補強されることになる。従って、第２筐体５の破損が一層防止される。
【００８９】
なお、以上の実施形態において、携帯電話機１は本発明の携帯電子機器の一例であり、フロントケース２９は本発明の第１ケース部材の一例であり、リアケース３７は本発明の第２ケース部材の一例であり、複数の孔部４１及び／又はネジボス４３は本発明の複数の結合部位の一例であり、樹脂は本発明の第１の材料の一例であり、金属は本発明の第２の材料の一例であり、樹脂部５５は本発明の第１構成部の一例であり、板金部５７は本発明の第２構成部の一例であり、壁部連続部６９ａは本発明の補強部の一例であり、メイン表示装置２７は本発明の電子部品の一例である。
【００９０】
本発明は、以上の実施形態に限定されず、種々の態様で実施されてよい。
【００９１】
携帯電子機器は、携帯電話機に限定されない。例えば、ＰＤＡ、ノートパソコン、デジタルカメラ、ゲーム機であってもよい。また、開閉可能に連結される第１筐体及び第２筐体を含む筐体は、折り畳み式のものに限定されず、スライド式のものであってもよいし、リボルバー式のものであってもよい。
【００９２】
第１ケース部材及び第２ケース部材の結合部位は、ネジが挿通される孔部やネジが螺合されるネジボスに限定されない。例えば、係合部や被係合部であってもよい。
【００９３】
本体部や延設部の形状及び大きさは適宜に設定されてよい。例えば、実施形態では、延設部６１の側方部６９が、壁部連続部６９ａと鍔部連続部６９ｂとを有する場合を例示したが、壁部連続部６９ａのみを有していてもよい。
【図面の簡単な説明】
【００９４】
【図１】本発明の実施形態の携帯電話機の外観を示す図。
【図２】図１の携帯電話機の第２筐体の分解斜視図。
【図３】図２の第２筐体のフロントケースの平面図。
【図４】図３のフロントケースの板金部の斜視図。
【図５】図３の領域Ｖの拡大図。
【図６】図５のＶＩ−ＶＩ線における断面図。
【図７】図１（ａ）のＶＩＩ−ＶＩＩ線における断面図。
【図８】図１の携帯電話機の信号処理系の構成を示すブロック図。
【図９】図１の携帯電話機の効果を説明する図。
【符号の説明】
【００９５】
１…携帯電話機（携帯電子機器）、３…第１筐体、５…第２筐体、７…連結部、２９…フロントケース（第１ケース部材）、３７…リアケース（第２ケース部材）、４１…孔部（結合部位）、５５…樹脂部（第１構成部）、５７…板金部（第２構成部）、５９…本体部、６１…延設部。
【図１】
2008294650.tif 000003
【図２】
2008294650.tif 000004
【図３】
2008294650.tif 000005
【図４】
2008294650.tif 000006
【図５】
2008294650.tif 000007
【図６】
2008294650.tif 000008
【図７】
2008294650.tif 000009
【図８】
2008294650.tif 000010
【図９】
2008294650.tif 000011